【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
常時聴取可能なコンピューティングデバイスであって：
発話又はジェスチャを含む入力をユーザから受信するように構成された第１電子センサと；
遠隔サーバからデータを受信すると共に遠隔サーバへデータを送信するように構成された通信モジュールと；
プロセッサによって実行されたゲートキーピングモジュールであって、ゲートキーピング機能が無効にされている期間に、前記第１電子センサからのデータに基づく前記通信モジュールによって受信された全てのデータは、前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサからの排他的入力リードを介して受信され、前記ゲートキーピングモジュールから出力された全てのデータは、排他的出力リードを介して前記第１電子センサ以外のコンポーネントに送信される、ゲートキーピングモジュールと；
命令を格納する非一時的メモリと；
を備え、
該命令は、プロセッサによって実行されたときに、プロセッサに：
前記第１電子センサによって受信された入力が第１入力コンテンツを含むことを特定させ；及び
前記入力が前記第１入力コンテンツを含むことを特定することに応答して、以下のうちの少なくとも１つを自動的に実行させる：
前記第１入力コンテンツに引き続くユーザ入力の表現を送信する；
前記第１入力コンテンツに引き続いて獲得されたユーザ入力ストリームを送信するために、常時受信モードを起動する；
前記第１入力コンテンツに引き続いて受信したユーザ入力の送信を、第２入力コンテンツが先行しない限り、妨げるために前記常時受信モードを無効にする；又は
前記常時聴取可能なコンピューティングデバイスの外部への全てのデータ送信を防止するために、前記ゲートキーピングモジュールを有効する、
コンピューティングデバイス。
【請求項２】
常時聴取可能なコンピューティングデバイスであって、
ビデオデータを記録するように構成された第１電子センサと；
遠隔サーバからデータを受信すると共にデータを送信するように構成された通信モジュールと；
プロセッサによって実施されたゲートキーピングモジュールであって、ゲートキーピング機能が無効にされている期間に、前記第１電子センサからのデータに基づく前記通信モジュールによって受信された全てのデータは、前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサからの排他的入力リードを介して受信され、前記ゲートキーピングモジュールから出力された全てのデータは、排他的出力リードを介して前記第１電子センサ以外のコンポーネントに送信された、ゲートキーピングモジュールと；
命令を格納する非一時的メモリと；
を備え、
該命令は、プロセッサによって実行されたときに、プロセッサに：
前記第１電子センサによって記録された前記ビデオデータが第１入力コンテンツを含むことを特定させ、
前記ビデオデータが前記第１入力コンテンツを含むことを特定することに応答して、人間のユーザによる受け取りのメッセージを自動的に生成させると共に送信させる、コンピューティングデバイス。
【請求項３】
前記第１電子センサは、１又は複数の電力入力リード、及び前記ゲートキーピングモジュールへの１又は複数のデータ出力リードを含み、前記第１電子センサは、前記常時聴取可能なコンピューティングデバイスの他のコンポーネントからの入力リード又は出力リードを含まない、
請求項１又は請求項２に記載のコンピューティングデバイス。
【請求項４】
前記ゲートキーピングモジュールは、１又は複数の電力入力リードを備える、請求項１又は請求項２に記載のコンピューティングデバイス。
【請求項５】
２又はより多くのゲートキーピングモジュールを更に備え、前記２又はより多くのゲートキーピングモジュールのうちの第１ゲートキーピングモジュールは、前記２又はより多くのゲートキーピングモジュールのうちの第２ゲートキーピングモジュールによって有効にされる又は無効にされる、
請求項１又は請求項２に記載のコンピューティングデバイス。
【請求項６】
第２電子センサを更に備え、前記ゲートキーピングモジュールは、前記第１電子センサが第１ウエイクアップ入力コンテンツを受信することに応答して、前記第２電子センサを起動し、前記第１ウエイクアップ入力コンテンツと異なる第２ウエイクアップ入力コンテンツを含みいずれかの電子センサによって受信された入力に応答して、プロセッサがデータを送信する、
請求項１又は請求項２に記載のコンピューティングデバイス。
【請求項７】
前記ゲートキーピングモジュールは、電源が前記通信モジュールに電力を供給することを妨げることによって前記通信モジュールが前記常時聴取可能なコンピューティングデバイスの外部にデータを送信することを防止するように構成される、
請求項１又は請求項２に記載のコンピューティングデバイス。
【請求項８】
前記常時受信モードは、以下のうちの少なくとも１つを含む応答を特定するために前記送信されたデータを、前記遠隔サーバによって、分析することを備え：
特定された潜在的なユーザ願望を作動させる；
応答を可能にするために、前記ユーザからの追加情報を要請する；
前記ユーザからの識別できないデータをアーカイブする；及び
応答する情報を前記ユーザに提供する、
請求項１に記載のコンピューティングデバイス。
【請求項９】
人間のユーザによる受け取りのための前記メッセージは、前記遠隔サーバが、送信されたデータを、以下の少なくとも１つを含む応答を特定するために分析することによって、部分的に、特定される：
特定された潜在的なユーザ願望を作動させる；
応答を可能にするために、前記ユーザからの追加情報を要請する；及び
応答する情報を前記ユーザに提供する、
請求項２に記載のコンピューティングデバイス。
【請求項１０】
前記非一時的メモリは、命令を格納しており、前記命令は、プロセッサによって実行されるときに、前記プロセッサに、更に、
第１インターバル時間に、前記通信モジュールがデータを受信することを有効にさせる；
前記第１インターバル時間より短い第２インターバル時間に、前記通信モジュールが全ての到達するワイヤレスデータを受信することを無効にさせる；及び
前記通信モジュールが、到達するワイヤレスデータを受信することを再び有効にさせる、
請求項１又は請求項２に記載のコンピューティングデバイス。
【請求項１１】
２又はより多くの電子センサを含み、前記２又はより多くの電子センサは、マイクロフォン及びカメラの両方を含む、
請求項１又は請求項２に記載のコンピューティングデバイス。
【請求項１２】
前記非一時的メモリは、更に命令を格納しており、前記命令は、プロセッサによって実行されるときに、前記プロセッサに、
人間の聴覚の範囲外の周波数範囲においてメッセージが再生されていることを特定させる；及び、
前記メッセージが再生されていることを人間のユーザに警告させる、
請求項１又は請求項２に記載のコンピューティングデバイス。
【請求項１３】
常時聴取の支援応答を提供するためのコンピュータにより実施される方法であって、
第１電子センサを介して、人間のユーザによる１又は複数の発話又はジェスチャを含む第１ユーザ入力を受信するステップと；
受信したユーザ入力に基づくデータを、プロセッサによって実施されたゲートキーピングモジュールを介して通信モジュールへ移すステップであって、ゲートキーピング機能が無効化されている期間に、前記第１電子センサからのデータに基づく前記通信モジュールによって受信された全てのデータが前記ゲートキーピングモジュールを通過し、前記ゲートキーピング機能が有効化されている期間に、前記第１電子センサからのデータに基づくデータは、前記通信モジュールを通過せず、前記ゲートキーピングモジュールに入力された全てのデータは、前記第１電子センサから排他的入力リードを介して受信され、前記ゲートキーピングモジュールから出力された全てのデータは、前記第１電子センサ以外のコンポーネントへ排他的出力リードを介して送信される、ステップと；
前記ユーザ入力が第１ウエイクアップ句を含むことを特定するステップと；
前記ユーザ入力が第１ウエイクアップ句を含むことを特定することに応答して、少なくとも以下の１つを自動的に実行するステップと；を備え、
前記第１ウエイクアップ句に引き続くユーザ入力の表現を送信する；
前記第１ウエイクアップ句に引き続いて取得されたユーザ入力のストリームを送信するために、常時受信モードを起動する；
第２ウエイクアップ句が先行しない限り、前記第１ウエイクアップ句に引き続き受信されたユーザ入力の送信を防止するために、前記常時受信モードを無効にする；又は
前記通信モジュールによるデータの全ての送信を妨げるために、前記ゲートキーピングモジュールを有効にする、
方法。
【請求項１４】
常時聴取の支援応答を提供するためのコンピュータにより実施される方法であって：
第１電子センサを介して、ビデオデータを記録するステップと；
前記記録されたビデオデータに基づくデータを、プロセッサによって実施されたゲートキーピングモジュールを介して通信モジュールに移すステップであって、ゲートキーピング機能が無効にされている期間に、前記記録されたビデオデータに基づく前記通信モジュールによって受信された全てのデータは、前記ゲートキーピングモジュールを通して移動し、前記ゲートキーピング機能が有効にされている期間に、前記記録されたビデオデータに基づく全てのデータは、前記通信モジュールを通過せず、前記ゲートキーピングモジュールから出力された全てのデータは、排他的出力リードを介して前記第１電子センサ以外のコンポーネントに送信される、ステップと；
前記第１電子センサによって記録されたビデオデータが第１入力コンテンツを含むことを特定するステップと、
前記第１電子センサによって記録されたビデオデータが前記第１入力コンテンツを含むことを特定することに応答して、自動的に、人間のユーザによる受信のためのメッセージを生成すると共に送信するステップと、を備える
方法。
【請求項１５】
ユーザ入力は、複数のユーザからの発話、ジェスチャ、又は表現を含む、
請求項１３又は請求項１４に記載の方法。
【請求項１６】
前記第１ウエイクアップ句に引き続いて取得されたユーザ入力をユーザに送信した後に、以下のうちの１つ：ウェブページの一部；ファクト；計算；マーケティング支援；サブジェクト関連の時間適用可能な広告；音楽；第三者からのリアルタイム通信を含むデータストリーム；又は、動作が実行されたという通知を、ユーザに表示するステップを更に備える、
請求項１３に記載の方法。
【請求項１７】
前記デバイスは、会話状態を追跡すると共に、ユーザの要望を満たすために、より適切な情報を特定する１又は複数の明解なクエリを用いてユーザに促す、請求項１３又は請求項１４に記載の方法。
【請求項１８】
前記ユーザに関連付けられた遠隔データ格納を更新することを黙って引き起こすステップを更に備える、
請求項１３又は請求項１４に記載の方法。
【請求項１９】
前記ゲートキーピングモジュールは、デジタルパーソナルアシスタントシステムに組み込まれ、前記デジタルパーソナルアシスタントシステムの電子センサは、ウエイクアップ発話又はジェスチャが前記ゲートキーピングモジュールによって処理されるまで、無効にされ、前記ウエイクアップ句は、前記デジタルパーソナルアシスタントシステムを起動させるために使用されるように事前構成された第２ウエイクアップ句から区別される、
請求項１３又は請求項１４に記載の方法。
【請求項２０】
前記デジタルパーソナルアシスタントシステムは、ユーザ入力を受信するように構成される電子センサへの電力を切断することを介して無効にされる、
請求項１９に記載の方法。
【請求項２１】
前記デジタルパーソナルアシスタントシステムは、前記ゲートキーピングモジュールが前記デジタルパーソナルアシスタントシステムへのデータの伝送を妨げることを介して無効にされる、
請求項１９に記載の方法。
【請求項２２】
前記第１電子センサは、１又は複数の電力入力リード、及び前記ゲートキーピングモジュールへの１又は複数のデータ出力リードを含み、前記第１電子センサは、前記常時聴取可能なコンピューティングデバイスの他のコンポーネントからの入力リード又は該コンポーネントへの出力リードを含まない、
請求項１３又は請求項１４に記載の方法。
【請求項２３】
前記第１電子センサが第１ウエイクアップ入力を受信することに応答して、前記ゲートキーピングモジュールを介して第２電子センサを起動するステップと、
前記第１ウエイクアップ入力とは別の第２のウエイクアップ入力を含み前記第２電子センサによって受信された入力に応答して、データを送信するステップと、
を更に備える請求項１３又は請求項１４に記載の方法。
【請求項２４】
前記ゲートキーピングモジュールは、電源が前記通信モジュールに電力を供給することを防止することによって、前記通信モジュールが前記常時聴取可能なコンピューティングデバイスの外部にデータを送信することを妨げるように構成されている、
請求項１３又は請求項１４に記載の方法。
【請求項２５】
人間のユーザによる受信のための前記メッセージは、前記遠隔サーバが、少なくとも以下の１つを含む応答を特定するために、送信されたデータを解析することによって、部分的に、特定される：
特定された潜在的なユーザ願望を作動させること；
前記ユーザからの追加情報を要請すること；又は
前記ユーザに応答情報を提供すること、
請求項１４に記載の方法。
【請求項２６】
前記通信モジュールがデータを受信することを、第１インターバル時間に、有効化するステップと；
前記第１インターバル時間より短い第２インターバル時間に、前記通信モジュールが全ての到達するワイヤレスデータを受信することを無効にするステップと； 
前記通信モジュールが、到達するワイヤレスデータを受信することを再び有効にするステップと、
を更に備える
請求項１３又は請求項１４に記載の方法。
【請求項２７】
ビデオデータとオーディオデータとの両方が記録される、
請求項１３又は請求項１４に記載の方法。
【請求項２８】
人間の聴覚の範囲外の周波数範囲においてメッセージが再生されていることを特定するステップと、
該メッセージが再生されていることを人間のユーザに警告するステップと、を更に備える
請求項１３又は請求項１４に記載の方法。
【請求項２９】
通信モジュールを有するコンピューティングデバイスのための常時聴取可能なデカップルされたアクセサリであって、
発話又はジェスチャを含むユーザ入力を記録するように構成された第１電子センサと；
前記コンピューティングデバイスへのデータ接続と；
プロセッサによって実施されるゲートキーピングモジュールであって、ゲートキーピング機能が無効にされている期間に、前記通信モジュールによって受信され前記第１電子センサからのデータに基づくデータは前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサから排他的入力リードを介して受信され、前記ゲートキーピングモジュールから出力された全てのデータは、排他的出力リードを介して前記第１電子センサ以外のコンポーネントに送信される、ゲートキーピングモジュールと；
命令を格納する非一時的メモリであって、該命令は、プロセッサによって実行されたときに、プロセッサに：
前記第１電子センサによって記録されたユーザ入力が第１入力コンテンツを含むことを特定させる；及び
前記第１電子センサによって記録されたユーザ入力が前記第１入力コンテンツを含むことを特定することに応答して、メッセージを自動的に生成すると共に前記コンピューティングデバイスに送信させる、
アクセサリ。
【請求項３０】
前記第１電子センサは、１又は複数の電力入力リードと、前記ゲートキーピングモジュールへの１又は複数のデータ出力リードとを含み、前記第１電子センサは、前記コンピューティングデバイスの他のコンポーネントからの入力リード、及び前記アクセサリの他のコンポーネントへの出力リードを含まない、
請求項２９に記載のアクセサリ。
【請求項３１】
前記ゲートキーピングモジュールは、１又は複数の電源入力リードを含む、
請求項２９に記載のアクセサリ。
【請求項３２】
前記コンピューティングデバイスへの前記メッセージは、前記コンピューティングデバイスの機能を無効化する、又は再有効化する命令を含む、
請求項２９に記載のアクセサリ。
【請求項３３】
前記コンピューティングデバイスへの前記データ接続は、ケーブルを含む、
請求項２９に記載のアクセサリ。
【請求項３４】
前記ケーブルは、前記コンピューティングデバイスの３．５ｍｍジャックに入るように構成される、
請求項３３に記載のアクセサリ。
【請求項３５】
前記ケーブルは、前記コンピューティングデバイスのＵＳＢ（ユニバーサルシリアルバス）ポートに入るように構成される、
請求項３３に記載のアクセサリ。
【請求項３６】
前記ケーブルは、前記コンピューティングデバイスのＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポートに入るように構成されている、
請求項３３に記載のアクセサリ。
【請求項３７】
前記メッセージは、前記コンピューティングデバイスのオペレーティングシステムによって提供されるＡＰＩ（アプリケーションプログラミングインタフェース）に従って書式設定（フォーマット）される、
請求項３２に記載のアクセサリ。
【請求項３８】
前記メッセージは、前記コンピューティングデバイスによって実行されるアプリケーションによって提供されるＡＰＩに従って書式設定される、
請求項３２に記載のアクセサリ。
【請求項３９】
常時聴取可能なデカップルされたアクセサリを用いて、通信モジュールを有するコンピューティングデバイスを制御するための方法であって；
前記アクセサリの第１電子センサによって記録されたユーザ入力が第１入力コンテンツを含むことを特定するステップと；
前記ユーザ入力が前記第１入力コンテンツを含むことを特定することに応答して、メッセージを自動的に生成すると共に前記コンピューティングデバイスに送信するステップと、
を備え、
前記アクセサリは、
前記コンピューティングデバイスへのデータ接続と；
プロセッサによって実施されるゲートキーピングモジュールと；を備え、前記ゲートキーピングモジュールが無効化されている期間に、前記第１電子センサからのデータに基づく前記通信モジュールによって受信された全てのデータは、前記ゲートキーピングモジュールを通過し、前記ゲートキーピングモジュールが有効化されている期間に、前記第１電子センサからのデータに基づくデータは、前記ゲートキーピングモジュールを通過せず、前記ゲートキーピングモジュールに入力された全てのデータは、前記第１電子センサからの排他的入力リードを介して受信され、前記ゲートキーピングモジュールから出力された全てのデータは、前記第１電子センサ以外のコンポーネントへ排他的出力リードを介して送信される、
方法。
【請求項４０】
前記第１電子センサは、１又は複数の電力入力リードと、前記ゲートキーピングモジュールへの１又は複数のデータ出力リードとを含み、
前記第１電子センサは、前記アクセサリの他のコンポーネント若しくは前記コンピューティングデバイスの他のコンポーネントからの入力リード、又は前記アクセサリの他のコンポーネント若しくは前記コンピューティングデバイスの他のコンポーネントへの出力リードを含まない、
請求項３９に記載の方法。
【請求項４１】
前記ゲートキーピングモジュールは、１又は複数の電力入力リードを含む、
請求項３９に記載の方法。
【請求項４２】
前記コンピューティングデバイスへの前記メッセージは、前記コンピューティングデバイスの機能を無効化する又は再有効化する命令を含む、
請求項３９に記載の方法。
【請求項４３】
前記コンピューティングデバイスへの前記データ接続は、ケーブルを含む、
請求項３９に記載の方法。
【請求項４４】
前記ケーブルは、前記コンピューティングデバイスの３．５ｍｍジャックに入るように構成される、
請求項４３に記載の方法。
【請求項４５】
前記ケーブルは、前記コンピューティングデバイスのＵＳＢ（ユニバーサルシリアルバス）ポートに入るように構成される、
請求項４３に記載の方法。
【請求項４６】
前記ケーブルは、前記コンピューティングデバイスのＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポートに入るように構成される、
請求項４３に記載の方法。
【請求項４７】
前記メッセージは、前記コンピューティングデバイスのオペレーティングシステムによって提供されるＡＰＩ（アプリケーションプログラミングインタフェース）に従って書式設定される、
請求項４２に記載の方法。
【請求項４８】
前記メッセージは、前記コンピューティングデバイスによって実行されるアプリケーションに従って提供されるＡＰＩに従って書式設定される、
請求項４２に記載の方法。
【請求項４９】
通信モジュールを有するコンピューティングデバイスとの物理的な関与のために構成された常時聴取可能なデカップルされたキャップであって：
発話又はジェスチャを含むユーザ入力を記録するように構成された第１電子センサと；
プロセッサによって実施されたゲートキーピングモジュールであって、ゲートキーピング機能が無効にされている期間に、前記第１電子センサからのデータに基づく前記通信モジュールによって受信された全てのデータは、前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサからの排他的入力リードを介して受信され、前記ゲートキーピングモジュールから出力された全てのデータは、前記第１電子センサ以外のコンポーネントへ排他的出力リードを介して送信される、ゲートキーピングモジュールと；
を備え、
前記キャップは、前記コンピューティングデバイスの機能に干渉し、
非一時的メモリは、プロセッサによって実行されると、前記プロセッサに：
前記第１電子センサによって記録されたユーザ入力が、第１入力コンテンツを含むことを特定させ；及び
前記コンピューティングデバイスの機能との干渉の性質を変化させる、
キャップ。
【請求項５０】
通信モジュールを有するコンピューティングデバイスとの物理的な関与のために構成された常時聴取可能なデカップルされたキャップであって：
発話又はジェスチャを含むユーザ入力を記録するために構成された第１電子センサと；
プロセッサによって実施されるゲートキーピングモジュールであって、ゲートキーピング機能が無効にされている期間に、前記通信モジュールによって受信され前記第１電子センサからのデータに基づく全てのデータは、前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサからの排他的入力リードを介して受信され、前記ゲートキーピングモジュールから出力された全てのデータは、前記第１電子センサ以外のコンポーネントへの排他的出力リードを介して送信される、ゲートキーピングモジュールと；
を備え、
前記キャップは、前記コンピューティングデバイスの機能に干渉し、
非一時的メモリは、プロセッサによって実行されるとき、前記プロセッサに：
前記第１電子センサによって記録されたユーザ入力が第１入力コンテンツを含むことを特定し、
前記コンピューティングデバイスの機能との干渉が無かったら前記コンピューティングデバイスがデータを検索したであろう第１サーバと異なる第２サーバから、前記ユーザ入力への応答を検索する、
キャップ。
【請求項５１】
前記キャップは、前記コンピューティングデバイスの周囲に実質的に防音バリアを生成することによって干渉する、
請求項４９又は請求項５０に記載のキャップ。
【請求項５２】
前記キャップは、前記コンピューティングデバイスによって把握可能な音波に干渉するために音響キャンセル音を生成することによって干渉する、
請求項４９又は請求項５０に記載のキャップ。
【請求項５３】
前記キャップは、第１音量における第１音を作成することによって干渉し、前記第１音量は、前記コンピューティングデバイスが、前記第１音量より小さい第２音量における第２音を把握することを妨げる、
請求項４９又は請求項５０に記載のキャップ。
【請求項５４】
前記キャップは、前記コンピューティングデバイスによって把握されたホワイトノイズを生成することによって干渉する、
請求項４９又は請求項５０に記載のキャップ。
【請求項５５】
前記キャップは、光波に不透明であることによって干渉し、そうでなければ、該光波は、前記コンピューティングデバイスによって把握されるであろう、請求項４９又は請求項５０に記載のキャップ。
【請求項５６】
前記キャップは、前記コンピューティングデバイスによる把握のために、受信したユーザ入力データのサブセットを再生成する、
請求項４９又は請求項５０に記載のキャップ。
【請求項５７】
前記キャップは、前記コンピューティングデバイスの実質的な表面を覆うスリーブである、
請求項４９又は請求項５０に記載のキャップ。
【請求項５８】
前記キャップは、前記コンピューティングデバイスを十分に囲む容器である、
請求項４９又は請求項５０に記載のキャップ。
【請求項５９】
前記キャップは、前記コンピューティングデバイスに電力を供給することを可能にするために前記コンピューティングデバイスに結合され（ｃｏｕｐｌｅｄ）、前記キャップは、前記コンピューティングデバイスへの電力を与えないことによって干渉する、
請求項４９又は請求項５０に記載のキャップ。
【請求項６０】
物理的な関与のために構成された常時聴取可能なデカップルされたキャップを介して、通信モジュールを有するコンピューティングデバイスにおいて情報セキュリティを提供する方法であって：
前記キャップの第１電子センサによって記録されると共に発話又はジェスチャを含むユーザ入力が第１入力コンテンツを含むことを特定するステップと；
前記コンピューティングデバイスの機能への前記キャップによる干渉の性質を変化させるステップと；を備え、
前記キャップは、プロセッサによって実施されるゲートキーピングモジュールを含み、
ゲートキーピング機能が無効にされている期間に、前記第１電子センサからのデータに基づく前記通信モジュールによって受信された全てのデータは、前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサから排他的入力リードを介して受信され、前記ゲートキーピングモジュールから出力された全てのデータは、前記第１電子センサ以外のコンポーネントへ排他的出力リードを介して送信される、
方法。
【請求項６１】
物理的な関与のために構成された常時聴取可能なデカップルされたキャップを介して、通信モジュールを有するコンピューティングデバイスにおいて情報セキュリティを提供する方法であって：
前記キャップの第１電子センサによって記録されると共に発話又はジェスチャを含むユーザ入力が第１入力コンテンツを含むことを特定するステップと；
前記コンピューティングデバイスの機能への干渉が無かったら前記コンピューティングデバイスがデータを検索したであろう第１サーバとは異なる第２サーバから、前記ユーザ入力に対する応答を検索するステップと；
を備え、
前記キャップは、プロセッサによって実施されるゲートキーピングモジュールを含み、
ゲートキーピング機能が無効にされている期間に、前記通信モジュールによって受信され前記第１電子センサからのデータに基づく全てのデータは、前記ゲートキーピングモジュールを通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサから排他的入力リードを介して受信され、前記ゲートキーピングモジュールから出力された全てのデータは、前記第１電子センサ以外のコンポーネントへ排他的出力リードを介して送信される、
方法。
【請求項６２】
前記キャップは、前記コンピューティングデバイスの周囲に実質的に防音バリアを生成することによって干渉する、
請求項６０又は請求項６１に記載の方法。
【請求項６３】
前記キャップは、前記コンピューティングデバイスによって把握可能な音波に干渉する音響キャンセル音を生成することによって干渉する、
請求項６０又は請求項６１に記載の方法。
【請求項６４】
前記キャップは、第１音量で第１音を生成することによって干渉し、該第１音量は、前記コンピューティングデバイスが前記第１音量より小さい第２音量で第２音を把握することを妨げる、
請求項６０又は請求項６１に記載の方法。
【請求項６５】
前記キャップは、前記コンピューティングデバイスによって把握されるホワイトノイズを生成することによって干渉する、
請求項６０又は請求項６１に記載の方法。
【請求項６６】
前記キャップは、光波に不透明であることによって干渉し、そうでなければ、該光波は、前記コンピューティングデバイスによって把握されるであろう、
請求項６０又は請求項６１に記載の方法。
【請求項６７】
前記コンピューティングデバイスによる把握ために前記第１電子センサによって受信されたユーザ入力データのサブセットを再生成するステップを更に備える、
請求項６０又は請求項６１に記載の方法。
【請求項６８】
前記キャップは、前記コンピューティングデバイスの実質的な表面を覆うスリーブである、
請求項６０又は請求項６１に記載の方法。
【請求項６９】
前記キャップは、前記コンピューティングデバイスを十分に囲む容器である、
請求項６０又は請求項６１に記載の方法。
【請求項７０】
前記キャップは、前記コンピューティングデバイスに電力を供給することを可能にするために前記コンピューティングデバイスに結合され、前記キャップは、前記コンピューティングデバイスへ電力を与えないことによって更に干渉する、
請求項６０又は請求項６１に記載の方法。
【請求項７１】
常時聴取可能な第１コンピューティングデバイスであって、該第１コンピューティングデバイスは、同一のコンピューティングネットワーク内にあると共に通信モジュールを有する第２コンピューティングデバイスからデカップルされており、前記第１コンピューティングデバイスは：
発話又はジェスチャを含むユーザ入力を記録するように構成された第１電子センサと；
プロセッサによって実施されるゲートキーピングモジュールであって、ゲートキーピング機能が無効にされている期間に、前記通信モジュールによって受信されると共に前記第１電子センサからのデータに基づく全てのデータは、前記通信モジュールを介して通過し、前記ゲートキーピング機能が有効にされている期間に、前記第１電子センサからのデータに基づくデータは、前記通信モジュールを通過せず、前記ゲートキーピングモジュールに入力された全てのデータは、前記第１電子センサから排他的入力リードを介して受信され、前記ゲートキーピングモジュールから出力された全てのデータは、排他的出力リードを介して前記第１電子センサ以外のコンポーネントに送信される、ゲートキーピングモジュールと；
命令を格納する非一時的メモリであって、該命令は、前記プロセッサによって実行されるときに、前記プロセッサに：
前記第１電子センサによって記録されたユーザ入力が第１入力コンテンツを含むことを特定させる；及び、
前記第２コンピューティングデバイスから前記第２データ源に電子通信を送信することを前記第１コンピューティングデバイスが妨げることながなければ、前記第２コンピューティングデバイスがデータを検索したであろう第２サーバと異なる第１サーバから、前記ユーザ入力への応答を検索させる、非一時的メモリと；
を備える、
第１コンピューティングデバイス。
【請求項７２】
前記コンピューティングデバイスが無線ルータである、
請求項７１に記載の第１コンピューティングデバイス。
【請求項７３】
前記コンピューティングデバイスが無線ホットスポットを提供する、
請求項７１に記載の第１コンピューティングデバイス。
【請求項７４】
前記コンピューティングデバイスがネットワークファイアウォールである、
請求項７１に記載の第１コンピューティングデバイス。
【請求項７５】
前記第２コンピューティングデバイスから前記第２サーバへの一意のネットワーク経路が、前記第１コンピューティングデバイスを通過する、
請求項７１に記載の第１コンピューティングデバイス。
【請求項７６】
前記第１サーバからの応答は、前記第１コンピューティングデバイスのユーザに向けて対象とされた１又は複数の広告を含む、
請求項７１に記載の第１コンピューティングデバイス。
【請求項７７】
前記第１コンピューティングデバイスは、現在の時刻に基づき、前記第２コンピューティングデバイスから前記第１サーバに通信を選択的に転送するように構成される、
請求項７１に記載の第１コンピューティングデバイス。
【請求項７８】
前記第１コンピューティングデバイスは、有限の時間ウィンドウの期間に、前記第２コンピューティングデバイスから前記第１サーバに通信を選択的に迂回させるように構成される、
請求項７１に記載の第１コンピューティングデバイス。
【請求項７９】
前記第１コンピューティングデバイスは、前記第１コンピューティングデバイスによって把握されたユーザ入力のトピックに基づき、前記第２コンピューティングデバイスから前記第１サーバに通信を選択的に迂回させるように構成される、
請求項７１に記載の第１コンピューティングデバイス。
【請求項８０】
前記第１コンピューティングデバイスは、ユーザ入力の意図された受信者であった前記第２サーバにおけるアプリケーションに基づき、前記第２コンピューティングデバイスから前記第１サーバに通信を選択的に迂回させるように構成されている、
請求項７１に記載の第１コンピューティングデバイス。
【請求項８１】
前記第１コンピューティングデバイスは、ユーザ入力を提供するユーザのアイデンティティに基づき、前記第２コンピューティングデバイスから前記第１サーバに通信を選択的に迂回させるように構成される、
請求項７１に記載の第１コンピューティングデバイス。
【請求項８２】
通信モジュールを有する第２コンピューティングデバイスにおいて、前記第２コンピューティングデバイスからデカップルされた常時聴取可能な第１コンピューティングデバイスを介して及び同一のコンピューティングネットワーク内において、情報セキュリティを提供する方法であって、該方法は：
前記第１コンピューティングデバイスの第１電子センサによって記録されると共に発話又はジェスチャを含むユーザ入力が第１入力コンテンツを含むことを特定するステップと；
第１サーバからユーザ入力に対する応答を検索するステップであって、前記第１サーバは、第２サーバと異なり、電子通信が前記第２コンピューティングデバイスから前記第２データ源に送信されることを前記第１コンピューティングデバイスが妨げることがなければ、前記第２コンピューティングデバイスがデータを前記第２サーバから検索したであろう、ステップと、
を備え、
前記第１コンピューティングデバイスは、プロセッサによって実現された、ゲートキーピングモジュールを含み、ゲートキーピング機能が無効化されている期間に、前記第１電子センサからのデータに基づく前記通信モジュールによって受信された全てのデータは、前記ゲートキーピングモジュールを通過し、前記ゲートキーピング機能が有効化されている期間に、前記第１電子センサからのデータに基づくデータが、前記通信モジュールを通過せず、前記ゲートキーピングモジュールに入力された全てのデータは、前記第１電子センサから排他的入力リードを介して受信され、前記ゲートキーピングモジュールから出力された全てのデータは、前記第１電子センサ以外のコンポーネントへ排他的出力リードを介して送信される、
方法。
【請求項８３】
前記コンピューティングデバイスが無線ホットスポットを提供する、
請求項８２に記載の方法。
【請求項８４】
前記第２コンピューティングデバイスから前記第２サーバへの唯一のネットワークパスが、前記第１コンピューティングデバイスを通過する、
請求項８２に記載の方法。
【請求項８５】
前記第１サーバからの前記応答は、前記第１コンピューティングデバイスのユーザへ向けて対象とされた１又は複数の広告を含む、
請求項８２に記載の方法。
【請求項８６】
前記第１コンピューティングデバイスは、現在の時刻に基づき、前記第２コンピューティングデバイスから前記第１サーバに通信を選択的に迂回させるように構成される、
請求項８２に記載の方法。
【請求項８７】
前記第１コンピューティングデバイスは、有限の時間ウィンドウの期間に、前記第２コンピューティングデバイスから前記第１サーバに通信を選択的に迂回させるように構成される、
請求項８２に記載の方法。
【請求項８８】
前記第１コンピューティングデバイスは、前記第１コンピューティングデバイスによって把握されたユーザ入力のトピックに基づき、前記第２コンピューティングデバイスから前記第１サーバに通信を選択的に迂回させるように構成される、請求項８２に記載の方法。
【請求項８９】
前記第１コンピューティングデバイスは、ユーザ入力の意図された受信者であった前記第２サーバにおけるアプリケーションに基づき、前記第２コンピューティングデバイスから前記第１サーバに通信を選択的に迂回させるように構成される、
請求項８２に記載の方法。
【請求項９０】
前記第１コンピューティングデバイスは、ユーザ入力を提供するユーザのアイデンティティに基づき、前記第２コンピューティングデバイスから前記第１サーバに通信を選択的に迂回させるように構成される、
請求項８２に記載の方法。